(57)【要約】【課題】微細物を分離する分離性能を向上し、しかも目詰まりを効率的に防止し、濾過性能を長期間維持することができる。【解決手段】サイクロン型遠心分離装置１は、液体導入通路５から微細物を含む液体を供給して所定流速で渦巻きを生じさせ、遠心状態で微細物を外側へ移動させて液体流出通路４から微細物を分離した流体を排出し、渦巻きを減速させて分離された微細物を沈降させるサイクロン部２を備え、液体流出通路４の開口に微細物を濾過する金属メッシュ９０を設け、金属メッシュ９０に微細物の電荷と同じ電荷を付与する。【選択図】図１
2005111450.tif 000002
【特許請求の範囲】
【請求項１】
液体導入通路から微細物を含む液体を供給して所定流速で渦巻きを生じさせ、遠心状態で微細物を外側へ移動させて液体流出通路から微細物を分離した流体を排出し、前記渦巻きを減速させて分離された微細物を沈降させるサイクロン部を備え、
前記液体流出通路の開口に前記微細物を濾過する金属メッシュを設け、
前記金属メッシュに前記微細物の電荷と同じ電荷を付与することを特徴とするサイクロン型遠心分離装置。
【請求項２】
前記サイクロン部の軸芯位置に電極棒を配置し、この電極棒に前記微細物の電荷と同じ電荷を付与することを特徴とする請求項１に記載のサイクロン型遠心分離装置。
【請求項３】
前記サイクロン部に前記微細物の電荷とは反対の電荷を付与することを特徴とする請求項１または請求項２に記載のサイクロン型遠心分離装置。
【請求項４】
前記サイクロン部の内壁にパンチングメタルを取り付けることを特徴とする請求項３に記載のサイクロン型遠心分離装置。
【請求項５】
前記金属メッシュに間欠的または圧力損失の少なくとも一方に基づいて前記微細物の電荷と同じ電荷を付与することを特徴とする請求項１乃至請求項４のいずれか１項に記載のサイクロン型遠心分離装置。
【発明の詳細な説明】
【技術分野】
【０００１】
この発明は、流体に含まれる微粉末状クズ等の微細物を分離して除去するサイクロン型遠心分離装置に関するものである。
【背景技術】
【０００２】
例えば、機械加工装置では、供給タンクから切削液を供給しながら切削加工が行なわれ、切削液には微粉末状の切削クズが含まれる。この微粉末状の切削クズが含まれる切削液をフィルタ装置に供給し、このフィルタ装置で切削クズを除去して切削液を供給タンクに戻している（例えば特許文献１）。
【０００３】
このようなフィルタ装置には、例えばフィルタ膜によって切削クズを除去したり、沈殿によって切削クズを除去するものがあるが、いずれも切削液に大量に含まれる微粉末状の切削クズを、小型の装置で短時間に確実に除去することができない等の問題がある。また、フィルタ膜が目詰まりを起こすことがあり、詰まってしまった場合まずフィルタ装置の分解作業をし、そのフィルタ膜を洗浄しなければならない。この洗浄作業や使用不能になると交換作業が発生する。また、フィルタ膜は大抵繰り返し使用すると、濾過精度は悪くなり、詰まり易くなるため、フィルタ膜の殆どが使い捨てフィルタ膜であり、コストがかかる等の問題がある。
【０００４】
このようなフィルタ装置に代えてサイクロン型遠心分離装置を用いると、液体導入通路から微細物を含む液体を所定流速で渦巻きを生じさせ、遠心状態で微細物を外側へ移動させて液体流出通路から微細物を分離した流体を排出し、渦巻きを減速させて分離された微細物を沈降させるため、目詰まりのような問題は解消される（例えば特許文献２）。
【０００５】
このようなサイクロン型遠心分離装置において、微細物を分離する分離効率を高めるために、液体流出通路の開口にフィルタを設けるものがある（例えば特許文献３）。
【特許文献１】特開２００１−１３７７４３号公報
【特許文献２】特開平１０−２８６４９３号公報
【特許文献３】特開平１０−２８６４９３号公報
【発明の開示】
【発明が解決しようとする課題】
【０００６】
ところで、液体流出通路の開口にフィルタを設けると、目詰まりが生じるために、サイクロン型遠心分離装置からフィルタを取り出して、洗浄したり交換する必要があるが、いずれも手数がかかる。
【０００７】
この発明は、かかる実情に鑑みてなされたもので、微細物を分離する分離性能を向上し、しかも目詰まりを効率的に防止し、濾過性能を長期間維持することができるサイクロン型遠心分離装置を提供することを目的としている。
【課題を解決するための手段】
【０００８】
前記課題を解決し、かつ目的を達成するために、この発明は、以下のように構成した。
【０００９】
請求項１に記載の発明は液体導入通路から微細物を含む液体を供給して所定流速で渦巻きを生じさせ、遠心状態で微細物を外側へ移動させて液体流出通路から微細物を分離した流体を排出し、前記渦巻きを減速させて分離された微細物を沈降させるサイクロン部を備え、
前記液体流出通路の開口に前記微細物を濾過する金属メッシュを設け、
前記金属メッシュに前記微細物の電荷と同じ電荷を付与することを特徴とするサイクロン型遠心分離装置である。
【００１０】
請求項２に記載の発明は、前記サイクロン部の軸芯位置に電極棒を配置し、この電極棒に前記微細物の電荷と同じ電荷を付与することを特徴とする請求項１に記載のサイクロン型遠心分離装置である。
【００１１】
請求項３に記載の発明は、前記サイクロン部に前記微細物の電荷とは反対の電荷を付与することを特徴とする請求項１または請求項２に記載のサイクロン型遠心分離装置である。
【００１２】
請求項４に記載の発明は、前記サイクロン部の内壁にパンチングメタルを取り付けることを特徴とする請求項３に記載のサイクロン型遠心分離装置である。
【００１３】
請求項５に記載の発明は、前記金属メッシュに間欠的または圧力損失の少なくとも一方に基づいて前記微細物の電荷と同じ電荷を付与することを特徴とする請求項１乃至請求項４のいずれか１項に記載のサイクロン型遠心分離装置である。
【発明の効果】
【００１４】
前記構成により、この発明は、以下のような効果を有する。
請求項１に記載の発明では、遠心状態で微細物を外側へ移動させて液体流出通路から微細物を分離した流体を金属メッシュで濾過して排出し、渦巻きを減速させて分離された微細物を沈降させ、遠心による分離と濾過による分離を行なうことで、微細物を分離する分離性能が向上する。また、金属メッシュには微細物の電荷と同じ電荷を付与することで、微細物が金属メッシュの電荷で微細物が離れるようになって目詰まりを効率的に防止し、濾過性能を長期間維持することができる。
【００１５】
請求項２に記載の発明では、サイクロン部の軸芯位置に電極棒を配置し、この電極棒に微細物の電荷と同じ電荷を付与することで、遠心状態で微細物を外側へ移動させるのに加え、電極棒の電荷によって微細物をサイクロン部の内壁方向へ移動させるから、微細物を分離する分離性能が向上する。
【００１６】
請求項３に記載の発明では、サイクロン部に微細物の電荷とは反対の電荷を付与することで、遠心状態で微細物を外側へ移動させるのに加え、サイクロン部の電荷によって微細物をサイクロン部の内壁方向へ移動させるから、微細物を分離する分離性能がより向上する。
【００１７】
請求項４に記載の発明では、サイクロン部の内壁にパンチングメタルを取り付けることで、過電流を防止できる。
【００１８】
請求項５に記載の発明では、金属メッシュに間欠的または圧力損失の少なくとも一方に基づいて微細物の電荷と同じ電荷を付与することで、金属メッシュの電荷で微細物が離れるようになって目詰まりを効率的に防止し、濾過性能を長期間維持することができる。
【発明を実施するための最良の形態】
【００１９】
以下、この発明のサイクロン型遠心分離装置の実施の形態について説明するが、この発明は、この実施の形態に限定されない。また、この発明の実施の形態は、発明の最も好ましい形態を示すものであり、この発明の用語はこれに限定されない。
【００２０】
この実施の形態のサイクロン型遠心分離装置は、製薬、化学、食品、飲料の原料他の微細物の濾過に、また自動車、工作機、加工業の切削粉等の微細物の回収に、また各工場、水処理等の循環水、排水の濾過に、また半導体、バイオ等の不純物等の微細物の除去に、また洗浄水、溶剤等の異物である微細物の除去等に使用され、液体に含まれる微細物を分離除去するものに広く使用される。
【００２１】
この実施の形態のサイクロン型遠心分離装置の一例を、図１及び図２に示す。図１はサイクロン型遠心分離装置の断面図、図２はサイクロン型遠心分離装置の平面図、図３は電極棒の取付具を示す斜視図である。
【００２２】
この実施の形態では、工作機、加工業の切削粉等の微細物の回収に用いる場合について説明する。この実施の形態では、液体に含まれる微粉末状クズの微細物を除去する場合について用いているが、微細物であればよく、微粉末状クズに限定されない。
【００２３】
この実施の形態のサイクロン型遠心分離装置１は、鉛直方向にサイクロン部２と粒子捕集箱３とを有する。サイクロン部２は、円筒２ａ、サイクロンボディ２ｂ、蓋体２ｃから構成される。円筒２ａ内にサイクロンボディ２ｂが挿着され、この上部に蓋体２ｃが取り付けられている。
【００２４】
サイクロンボディ２ｂは、ＳＵＳ等の導体金属で形成され、円筒２ａは樹脂等の絶縁体で形成されている。蓋体２ｃは、樹脂等の絶縁体で形成され、この蓋体２ｃに軸芯に液体流出通路４を有し、軸芯から偏位した位置に液体導入通路５を有する。
【００２５】
液体流出通路４は、蓋体２ｃに貫通した管体６により形成され、この管体６はＳＵＳ等の導体金属で形成される。液体導入通路５は、蓋体２ｃに一体成形した管体７により形成される。
【００２６】
サイクロンボディ２ｂは、上下２段のテーパ部２ｂ１，２ｂ２を有し、下部のテーパ部２ｂ２は連通孔８を介して粒子捕集箱３に連通している。このサイクロン部２で液体導入通路５から微細物を含む液体を供給して所定流速で渦巻きを生じさせ、遠心状態で微細物を外側へ移動させて液体流出通路４から微細物を分離した流体を排出し、渦巻きを減速させて分離された微細物を沈降させる。
【００２７】
このサイクロン部２で沈降する分離された微細物は、連通孔８を通して粒子捕集箱３に落下して溜る。粒子捕集箱３は、下部の排出孔３ａにドレンバルブ９が接続され、このドレンバルブ９によって粒子捕集箱３に溜る微細物のドレンが排出される。
【００２８】
この実施の形態のサイクロン型遠心分離装置１は、サイクロン部２の軸芯位置に電極棒１０を配置している。この電極棒１０は、図１及び図３に示すように、電極棒１０の上端１０ａに固定した取付具１１を管体６の内部に取り付けている。取付具１１は、４個の取付片１１ａを有し、管体６の内部に取り付けた状態で取付片１１ａの間から微細物を分離した流体を排出できるようになっている。また、取付具１１はＳＵＳ等の導体金属で形成される。
【００２９】
この電極棒１０は、図１に示すように、サイクロン部２から連通孔８を通して粒子捕集箱３の中央部まで延びて位置している。電圧印加手段１２が管体６、取付具１１を介して電極棒１０に微細物の電荷と同じ電荷を付与する。この実施の形態では、液体に含まれる微細物が処理工程で静電気が生じて負に帯電するために、管体６、取付具１１、電極棒１０に負の電位をかけて負極として負の電荷を与えている。
【００３０】
また、電圧印加手段１２は、サイクロン部２に微細物の電荷とは反対の電荷を付与する。この実施の形態では、サイクロン部２のサイクロンボディ２ｂに正の電位をかけて正極として正の電荷を与えている。
【００３１】
また、液体流出通路４の開口に微細物を濾過するように金属メッシュ９０が設けられ、この金属メッシュ９０は電極棒１０と管体６の下端との間に取り付けられている。
【００３２】
この実施の形態のサイクロン型遠心分離装置１は、遠心状態で微細物を外側へ移動させて液体流出通路４から微細物を分離した流体を金属メッシュ９０で濾過して排出し、渦巻きを減速させて分離された微細物を沈降させる。このように、遠心による分離と濾過による分離を行なうことで、微細物を分離する分離性能が向上する。
【００３３】
また、サイクロン部２の軸芯位置に電極棒１０を配置し、この電極棒１０に微細物の電荷と同じ電荷を付与することで、遠心状態で微細物を外側へ移動させるのに加え、電極棒１０の電荷によって微細物をサイクロン部２の内壁方向へ移動させるから、微細物を分離する分離性能が向上する。
【００３４】
また、サイクロン部２に微細物の電荷とは反対の電荷を付与することで、遠心状態で微細物を外側へ移動させるのに加え、サイクロン部２の電荷によって微細物をサイクロン部２の内壁方向へ移動させるから、微細物を分離する分離性能がより向上する。
【００３５】
また、金属メッシュ９０には、管体６、電極棒１０を介して微細物の電荷と同じ電荷を付与することで、微細物が金属メッシュ９０の電荷で微細物が離れるようになって目詰まりを効率的に防止し、濾過性能を長期間維持することができる。
【００３６】
また、この実施の形態のサイクロン型遠心分離装置１には、液体導入通路５からの液体導入圧力を検知する液体導入圧力検知センサ２０が備えられ、液体流出通路４からの液体流出圧力を検知する液体導入圧力検知センサ２１が備えられ、これらの圧力情報が制御手段２２に送られる。制御手段２２では、液体導入圧力と液体流出圧力に基づき圧力損失を得、この圧力損失が所定以上の場合に電圧印加手段１２を制御し、金属メッシュ９０に微細物の電荷と同じ電荷を付与するようにしてもよい。
【００３７】
また、制御手段２２はタイマ２３の時間情報に基づき、電圧印加手段１２を制御し、金属メッシュ９０に間欠的に微細物の電荷と同じ電荷を付与するようにしてもよい。このように、常時金属メッシュ９０に電荷を与えないで、間欠的または圧力損失の少なくとも一方に基づいて微細物の電荷と同じ電荷を付与することで、金属メッシュ９０の電荷で微細物が離れるようになって目詰まりを効率的に防止し、濾過性能を長期間維持することができる。
【００３８】
なお、この実施の形態では、管体６、電極棒１０を介して金属メッシュ９０に微細物の電荷と同じ電荷を付与し、サイクロン部２に微細物の電荷とは反対の電荷を付与するようにしているが、金属メッシュ９０に微細物の電荷と同じ電荷を付与する構造であれば、これに限定されない。例えば、管体６、電極棒１０を介さないで直接金属メッシュ９０に微細物の電荷と同じ電荷を付与してもよく、サイクロン部２に微細物の電荷とは反対の電荷を付与しないで、金属メッシュ９０に微細物の電荷と同じ電荷を付与するようにしてもよい。
【００３９】
次に、他の実施の形態のサイクロン型遠心分離装置の一例を、図４及び図５に示す。図４はサイクロン型遠心分離装置の断面図、図５はサイクロン型遠心分離装置の平面図である。この実施の形態のサイクロン型遠心分離装置１は、図１乃至図３の実施の形態のサイクロン部２を構成する円筒２ａ、サイクロンボディ２ｂ、蓋体２ｃを一体の樹脂等の絶縁体で形成しており、他の同じ構成は同じ符号を付して説明を省略する。
【００４０】
この実施の形態のサイクロン型遠心分離装置１は、一体の樹脂等の絶縁体で形成したサイクロン部２の内壁にパンチングメタル３０を取り付けている。このパンチングメタル３０に微細物の電荷とは反対の電荷を付与し、パンチングメタル３０を取り付けることで過電流を防止でき、遠心状態で微細物を外側へ移動させるのに加え、サイクロン部２の電荷によって微細物をサイクロン部２の内壁方向へ移動させるから、微細物を分離する分離性能がより向上する。
【産業上の利用可能性】
【００４１】
このサイクロン型遠心分離装置は、製薬、化学、食品、飲料の原料他の微細物の濾過に、また自動車、工作機、加工業の切削粉等の微細物の回収に、また各工場、水処理等の循環水、排水の濾過に、また半導体、バイオ等の不純物等の微細物の除去に、また洗浄水、溶剤等の異物である微細物の除去等に使用され、液体に含まれる微細物を分離除去するものに広く使用される。
【図面の簡単な説明】
【００４２】
【図１】サイクロン型遠心分離装置の断面図である。
【図２】サイクロン型遠心分離装置の平面図である。
【図３】図３は電極棒の取付具を示す斜視図である。
【図４】サイクロン型遠心分離装置の断面図である。
【図５】サイクロン型遠心分離装置の平面図である。
【符号の説明】
【００４３】
１  サイクロン型遠心分離装置
２  サイクロン部
４  液体流出通路
５  液体導入通路
【図１】
2005111450.tif 000003
【図２】
2005111450.tif 000004
【図３】
2005111450.tif 000005
【図４】
2005111450.tif 000006
【図５】
2005111450.tif 000007